(57)【特許請求の範囲】
【請求項１】
画像表示部の発光面に感光材料を密着させる感光材料押さえ部材の取付構造であって、
前記感光材料押さえ部材を前記発光面側の第１の位置と前記発光面から離反した第２の位置との間で移動させる移動部材と、前記感光材料押さえ部材と前記移動部材とを着脱自在に取り付ける係合部材とを備え、
前記係合部材は、前記感光材料押さえ部材に係合位置と非係合位置との間を軸方向に沿って移動可能に支持され、先端側が前記移動部材の係止部に係止されるスライド部材と、このスライド部材をその先端側が前記係止部に係止される方向に付勢して前記先端側と前記係止部との係止状態を維持する付勢部材と、前記スライド部材に前記付勢部材の付勢力とは逆方向の力を加えるためのノブとを備えたことを特徴とする感光材料押さえ部材の取付構造。
【請求項２】
前記移動部材は、前記感光材料押さえ部材の両側に配設され、前記係合部材は、前記感光材料押さえ部材の両側に前記スライド部材の先端側を前記移動部材側に向けて配設されたことを特徴とする請求項１記載の感光材料押さえ部材の取付構造。
【請求項３】
前記感光材料押さえ部材は、一端側の支点を中心にして前記発光面に対する接離方向に回動可能に取付けられ、前記係合部材は、前記感光材料押さえ部材の他端側に配設されたことを特徴とする請求項２記載の感光材料押さえ部材の取付構造。
【請求項４】
前記感光材料押さえ部材は、前記感光材料に当接するパッド部材と、このパッド部材を取り付ける取付板と、前記パッド部材を前記取付板から離反させる方向に付勢する付勢部材とを備えたことを特徴とする請求項１乃至３のいずれかに記載の感光材料押さえ部材の取付構造。
【発明の詳細な説明】
【０００１】
【発明の属する技術分野】
本発明は、画像表示部の発光面に表示される画像を感光材料上に投影して焼付処理する写真焼付装置等に適用される感光材料押さえ部材の取付構造に関する。
【０００２】
【従来の技術】
近年、画像表示部であるＦＯＣＲＴ（Fiber Optic Cathode-Ray-Tube）を搭載した写真焼付装置が普及してきている。このＦＯＣＲＴを搭載した写真焼付装置は、ＣＣＤ等の撮像素子で読み取ってデジタル化したフィルム画像等をＦＯＣＲＴの発光面に表示させ、その発光面に印画紙等の感光材料を密着させて焼き付けるようにしたものである。そのため、焼付時に感光材料がＦＯＣＲＴの発光面から浮き上がらないように感光材料押さえ部材により押さえ付けるようになっている。
【０００３】
上記感光材料押さえ部材は、当該感光材料押さえ部材をＦＯＣＲＴに対する接離方向に移動させる移動部材に係合部材を介して取り付けられており、感光材料を単にＦＯＣＲＴの発光面を素通りさせるだけの場合に当該感光材料押さえ部材をＦＯＣＲＴから離反させることにより、感光材料の通過性を良好にするようになっている。
【０００４】
なお、ＦＯＣＲＴの発光面には埃や紙粉が付着するため、定期的に発光面を清掃する必要がある。また、ＦＯＣＲＴの発光面には保護用のテープが貼着されており、一定量以上の焼付処理を行った場合にはこの保護用テープを取り替える必要がある。
【０００５】
【発明が解決しようとする課題】
ところが、上記従来の写真焼付装置では、感光材料押さえ部材がＦＯＣＲＴの発光面から離反するようになっていても感光材料の通過性を良好にするだけの隙間しか形成されず、しかも感光材料押さえ部材が移動部材に取外し不能に取り付けられているので、ＦＯＣＲＴの発光面に付着した埃や紙粉等を除去したり、保護用テープを取り替えたりするメンテナンス作業がやりづらいという問題があった。
【０００６】
また、上記のように感光材料押さえ部材がＦＯＣＲＴの発光面から離反するようになっていても感光材料の通過性を良好にするだけの隙間しか形成されず、しかも感光材料押さえ部材が移動部材に取外し不能に取り付けられているので、感光材料がジャム状態になった場合にジャム処理作業がやりづらくなるという問題もあった。
【０００７】
従って、本発明は、ＦＯＣＲＴ等の画像表示部を搭載した写真焼付装置に適用される感光材料押さえ部材等を移動部材等に取外し可能に取り付けることができる感光材料押さえ部材の取付構造を提供することを目的とする。
【０００８】
【課題を解決するための手段】
上記の目的を達成するため、請求項１に係る感光材料押さえ部材の取付構造は、画像表示部の発光面に感光材料を密着させる感光材料押さえ部材の取付構造であって、前記感光材料押さえ部材を前記発光面側の第１の位置と前記発光面から離反した第２の位置との間で移動させる移動部材と、前記感光材料押さえ部材と前記移動部材とを着脱自在に取り付ける係合部材とを備え、前記係合部材は、前記感光材料押さえ部材に係合位置と非係合位置との間を軸方向に沿って移動可能に支持され、先端側が前記移動部材の係止部に係止されるスライド部材と、このスライド部材をその先端側が前記係止部に係止される方向に付勢して前記先端側と前記係止部との係止状態を維持する付勢部材と、前記スライド部材に前記付勢部材の付勢力とは逆方向の力を加えるためのノブとを備えたことを特徴としている。
【０００９】
上記構成によれば、感光材料押さえ部材に支持されたスライド部材の先端側が付勢部材により付勢されて移動部材の係止部に係止されて感光材料押さえ部材と移動部材とが係合される。また、ノブに付勢部材の付勢力とは逆方向の力を加えることによって係止部に係止されていたスライド部材の先端側が係止部から離脱し、感光材料押さえ部材と移動部材との係合が解除される。
【００１０】
また、請求項２に係る感光材料押さえ部材の取付構造は、請求項１に係るものにおいて、前記移動部材は、前記感光材料押さえ部材の両側に配設され、前記係合部材が、前記感光材料押さえ部材の両側に前記スライド部材の先端側を前記移動部材側に向けて配設されたことを特徴としている。
【００１１】
上記構成によれば、感光材料押さえ部材がその両側に配設された係合部材により感光材料押さえ部材の両側に配設された移動部材に係合される。
【００１２】
また、請求項３に係る感光材料押さえ部材の取付構造は、請求項２に係るものにおいて、前記感光材料押さえ部材が、一端側の支点を中心にして前記発光面に対する接離方向に回動可能に取付けられ、前記係合部材が、前記感光材料押さえ部材の他端側に配設されたことを特徴としている。上記構成によれば、感光材料押さえ部材が移動部材から取り外されたとき、感光材料押さえ部材が画像表示部の発光面から大きく離反する。
【００１３】
また、請求項４に係る感光材料押さえ部材の取付構造は、請求項１乃至３のいずれかに係るものにおいて、前記感光材料押さえ部材は、前記感光材料に当接するパッド部材と、このパッド部材を取り付ける取付板と、前記パッド部材を前記取付板から離反させる方向に付勢する付勢部材とを備えたことを特徴としている。上記構成によれば、感光材料が取付板に取り付けられたパッド部材により画像表示部側に押圧され、画像表示部の発光面に弾性的に密着される。
【００１４】
【発明の実施の形態】
図１は、本発明の一実施形態に係る感光材料押さえ部材の取付構造が適用された写真焼付装置（焼付現像処理装置）の全体構成を示す図であり、ここには各構成要素間の方向関係を明確にするためのＸＹＺ直角座標系が示されている。この図において、写真焼付装置は、前側（＋Ｘ方向）に配置された第１の焼付処理部１０と、第１の焼付処理部１０の上方（＋Ｚ方向）に配設された第２の焼付処理部２０と、第１の焼付処理部１０の後側（−Ｘ方向）に配設された現像処理部３０と、現像処理部３０の上方（＋Ｚ方向）に配設された感光材料排出部４０とから構成されている。
【００１５】
第１の焼付処理部１０は、フィルム画像を印画紙等の感光材料上に投影して焼付処理するものであり、フィルム画像投影部、焼付部、マガジン載置部、カッタ部、搬送部等を備えた公知の構成になるものである。すなわち、この第１の焼付処理部１０は、フィルム画像投影部においてネガフィルムが１コマ毎に巻き取られ、そのネガフィルムの画像が焼付部上に順に投影される一方、フィルム画像投影部の動作と関連してマガジン載置部に搭載されたマガジンから感光材料が順に引き出され、カッタ部で所定長さに切断された上で順に焼付部上に搬送される。そして、焼付部で焼付処理された感光材料は搬送部により現像処理部３０に搬送される。
【００１６】
図２は、第２の焼付処理部２０の概略構成を示す図である。この図において、第２の焼付処理部２０は、デジタル画像を印画紙等の感光材料上に投影して焼付処理するもので、前側（＋Ｘ方向）に配設された画像転写部２１と、画像転写部２１の後側（−Ｘ方向）に配設され、印画紙等の感光材料の巻装されたマガジンＭＧを搭載するマガジン載置部２２と、マガジン載置部２２に搭載されたマガジンＭＧから引き出した感光材料を画像転写部２１を経由して下流側に搬送する第１の搬送部２３と、画像転写部２１で焼付処理され、第１の搬送部２３から搬送されてきた感光材料を現像処理部３０に搬送する第２の搬送部２４とを備えている。
【００１７】
画像転写部２１は、画像を表示するＦＯＣＲＴ（Fiber Optic Cathode-Ray-Tube）からなる画像表示部２１１と、画像表示部２１１を駆動する駆動回路部２１２と、駆動回路部２１２に画像データを出力する画像データ出力部２１３とを備えており、画像表示部２１１はその発光面２１４が後側（−Ｘ方向）を向くように前後方向（Ｘ方向）に沿って配設されている。また、画像表示部２１１の発光面２１４に対向する位置には、ＤＣモータやカム機構等からなるパッド／ローラ駆動部２１５により画像表示部２１１に対する接離方向に移動する感光材料押さえ部材（プレッシャーパッド）２１６が配設され、画像表示部２１１による感光材料への焼付時には発光面２１４側に移動して感光材料が発光面２１４から浮き上がらないようになっている。これらのパッド／ローラ駆動部２１５及び感光材料押さえ部材２１６の詳細な構成については後述する。
【００１８】
画像データ出力部２１３は、フィルム画像等の絵柄をＣＣＤ等の撮像素子で読み取って得た画像データに所定の画像処理を施して１乃至数ライン毎に出力する一方、パソコン等の外部装置から入力された文字の画像データに所定の画像処理を施して１乃至数ライン毎に出力するものである。
【００１９】
第１の搬送部２３は、マガジンＭＧの引出口ＥＸから引き出された感光材料を水平方向に搬送する横搬送部２３１と、横搬送部２３１の感光材料を９０゜方向を変更して下方に搬送する縦搬送部２３２とから構成されている。この横搬送部２３１と縦搬送部２３２との間には第１の搬送ローラ２３４が配設され、この第１の搬送ローラ２３４によりマガジンＭＧの感光材料を引き出す一方、この引き出した感光材料を横搬送部２３１から縦搬送部２３２に送り込むようになっている。
【００２０】
また、縦搬送部２３２には、第１の搬送ローラ２３４に近い位置にループ形成部２３５が形成される一方、このループ形成部２３５の下流側に第２の搬送ローラ２３６が配設されている。また、この第２の搬送ローラ２３６の下流側に焼付部２３７が形成される一方、この焼付部２３７の下流側にストック部２３８とカッタ部２３９とがこの順序で形成されている。
【００２１】
ループ形成部２３５は、第１の搬送ローラ２３４により搬送されてきた感光材料を安定したピッチで下流側に搬送することができるようにループ状に貯め込む機能を有し、下端側を回動支点として実線で示す第１の位置と鎖線で示す第２の位置との間を回動可能に配設されたループガイド２４０を備えている。なお、ループガイド２４０は、第１の位置に存在しているときには縦搬送部２３２の一部を構成する。また、ループ形成部２３５には、ループ状に貯め込まれた感光材料が所定長さになったか否かを検出するループセンサＳが配設されている。
【００２２】
第２の搬送ローラ２３６は、駆動ローラ２３６ａと、上記パッド／ローラ駆動部２１５により駆動ローラ２３６ａに対する接離方向に移動するように配設された従動ローラ２３６ｂとから構成されている。
【００２３】
焼付部２３７は、感光材料に対する焼付処理が行われる領域であり、縦搬送部２３２の一部が切り欠かれて構成されたものである。なお、焼付部２３６の前側（＋Ｘ方向）に画像表示部２１１が配設され、焼付部２３６の後側（−Ｘ方向）に感光材料押さえ部材２１６が配設される。
【００２４】
ストック部２３８は、焼付部２３７を素通りさせて所定長さ分だけ下流側に搬送した焼付処理を行う前の感光材料を一時的に収納する機能を有し、画像表示部２１１の下方に配設された感光材料収納ボックス２４３と、上流側から搬送されてきた感光材料を感光材料収納ボックス２４３に案内するガイドプレート２４４とから構成されている。
【００２５】
このガイドプレート２４４は、実線で示す第１の位置と鎖線で示す第２の位置との間を移動可能に配設されており、ガイドプレート２４４の直上には、駆動ローラ２５０ａと、駆動ローラ２５０ａに対する接離方向に移動可能に配設された従動ローラ２５０ｂとからなる第３の搬送ローラ２５０が配設されている。このガイドプレート２４４と第３の搬送ローラ２５０とは互いに関連付けられて作動するようになっている。
【００２６】
すなわち、少なくとも最初の１コマ目の焼付時には、焼付に必要な所定長さ分の感光材料が焼付部２３７（画像表示部２１１の発光面２１４）を素通りして感光材料収納ボックス２４３内に収納され、この感光材料収納ボックス２４３内の感光材料が第２の搬送ローラ２３６により上流側に逆送されて焼付部２３７で焼付処理されることになる。２コマ目以降の焼付時には、焼付サイズが小さいときは感光材料収納ボックス２４３内には収納されずにカッタ部２３９側から必要な長さ分の感光材料が上流側に逆送されて焼付処理されることになる。
【００２７】
カッタ部２３９は、焼付処理された感光材料を所定寸法にカットするもので、その下方には、感光材料をカットするときにカット片（切屑）が発生する場合にその切屑を収納する切屑収納ボックス２４６が配設される一方、その切屑を切屑収納ボックス２４６に案内するガイドプレート２４７が配設されている。このガイドプレート２４７は、下流側端部を回動支点として実線で示す第１の位置と鎖線で示す第２の位置との間を回動するようになっている。また、このガイドプレート２４７は、第１の位置に存在しているときには縦搬送部２３２の一部を構成する。また、カッタ部２３９の下流側には、第４の搬送ローラ２４９が配設されており、カッタ部２３９でカットされた感光材料を第２の搬送部２４に送り込むようになっている。
【００２８】
現像処理部３０は、第１の焼付処理部１０又は第２の焼付処理部２０で焼付処理されて搬送部により搬送されてきた感光材料を現像処理する現像液や漂白定着液等の充填された処理タンクと、現像処理された感光材料を乾燥する乾燥処理室とを備えた公知の構成になるものである。また、感光材料排出部４０も、現像処理部３０の乾燥処理室で乾燥された感光材料を上下方向に配設された各トレイ４１に順に排出する公知の構成になるものである。
【００２９】
図３は、上記パッド／ローラ駆動部２１５の構成を示す図である。すなわち、パッド／ローラ駆動部２１５は、図３（ａ）に示すように、周縁部にカムフォロア２１５ａを備え、従動ローラ２３６ｂの下方（−Ｚ方向）に配設された回転板２１５ｂと、カムフォロア２１５ａが摺動する孔部２１５ｃの形成されたカム板２１５ｄと、回転板２１５ｂを中心軸２１５ｅ回りに回転させるＤＣモータ等からなる回転板駆動部２１５ｆとを備えている。なお、カム板２１５ｄは、上部位置に突出片２１５ｈが形成されると共に、回転板２１５ｂの回転に応じてカムフォロア２１５ａが孔部２１５ｃの周縁に沿って摺動することにより下部位置の軸体２１５ｇ回りに回動（揺動）するようになっている。
【００３０】
なお、この実施形態では、カム板２１５ｄは軸体２１５ｇの右端側（＋Ｙ方向）に配設されており、軸体２１５ｇの左端側（−Ｙ方向）にはカム板２１５ｄと略同一の輪郭を有する後述する回動板２１５ｍが軸体２１５ｇに取り付けられている。この回動板２１５ｍは、カム板２１５ｄの回動に応じてカム板２１５ｄと一体に軸体２１５ｇ回りに回動するようになっている。
【００３１】
一方、従動ローラ２３６ｂは、矢印で示す前後方向（Ｘ方向）に移動可能に配設された移動板２１５ｉの前側（＋Ｘ方向）に取り付けられ、この移動板２１５ｉがコイルばね２１５ｊにより前方向（＋Ｘ方向）に付勢されて駆動ローラ２３６ａに圧接されるようになっている。また、移動板２１５ｉは、その後側（−Ｘ方向）にローラ２１５ｋが形成されており、カム板２１５ｄが回動して突出片２１５ｈがローラ２１５ｋを押圧することによりコイルばね２１５ｊの付勢力に抗して後側（−Ｘ方向）に移動されるようになっている。移動板２１５ｉが後側に移動されると、従動ローラ２３６ｂは駆動ローラ２３６ａから離反することになる。
【００３２】
上記のように構成されたパッド／ローラ駆動部２１５において、回転板２１５ｂが矢印方向に回転し、カムフォロア２１５ａが図３（ｂ）に示す第１の位置Ｐ１に達したときにはカム板２１５ｄが図３（ａ）に示す位置に移動し、従動ローラ２３６ｂが駆動ローラ２３６ａに圧接される一方、カム板２１５ｄに一体に移動するように取り付けられた鎖線で示す感光材料押さえ部材２１６が画像表示部２１１の発光面２１４に当接する位置に移動するようになっている。すなわち、回転板２１５ｂがこの位置にあるとき、感光材料は感光材料押さえ部材２１６により画像表示部２１１の発光面２１４に密着された状態で第２の搬送ローラ２３６により上流側に逆送されて焼付処理が行われる。
【００３３】
また、カムフォロア２１５ａが図３（ｂ）に示す第２の位置Ｐ２に達したときにはカム板２１５ｄが図３（ａ）に示す位置から少し後側（−Ｘ方向）に移動する。このとき、カム板２１５ｄと一体に移動するように取り付けられた感光材料押さえ部材２１６は画像表示部２１１の発光面２１４から離反するが、カム板２１５ｄの突出片２１５ｈは移動板２１５ｉのローラ２１５ｋを押圧しないので、従動ローラ２３６ｂは駆動ローラ２３６ａに圧接されたままとなる。すなわち、回転板２１５ｂがこの位置にあるとき、感光材料は第２の搬送ローラ２３６によりニップされてその位置に固定され、この状態で第１の搬送ローラ２３４によりマガジン内の感光材料が下流側に搬送されることによりループ形成部２３５でループが形成される。
【００３４】
また、カムフォロア２１５ａが図３（ｂ）に示す第３の位置Ｐ３に達したときにはカム板２１５ｄが図３（ａ）に示す位置からさらに少し後側（−Ｘ方向）に移動する。このとき、感光材料押さえ部材２１６は画像表示部２１１の発光面２１４からさらに離反する。また、カム板２１５ｄの突出片２１５ｈが移動板２１５ｉのローラ２１５ｋを押圧するようになる結果、従動ローラ２３６ｂは駆動ローラ２３６ａから離反することになる。すなわち、回転板２１５ｂがこの位置にあるとき、感光材料は第３の搬送ローラ２５０により焼付部２３７を素通りして下流側のカッタ部２３９側に搬送されたり、マガジン内に巻き戻されたりする。
【００３５】
また、カムフォロア２１５ａが図３（ｂ）に示す第４の位置Ｐ４に達したときにはカム板２１５ｄが第３の位置Ｐ３のときよりも少し前側（＋Ｘ方向）に移動する。このとき、感光材料押さえ部材２１６は第３の位置Ｐ３のときよりも画像表示部２１１の発光面２１４に少し近づくが発光面２１４に接触することはない。また、カム板２１５ｄの突出片２１５ｈが移動板２１５ｉのローラ２１５ｋから離反する結果、従動ローラ２３６ｂはコイルばね２１５ｊの付勢力で駆動ローラ２３６ａに圧接されることになる。すなわち、回転板２１５ｂがこの位置にあるとき、感光材料は第２の搬送ローラ２３６により焼付部２３７を素通りして下流側に搬送されたり、上流側に巻き戻されたりする。
【００３６】
上記のようにパッド／ローラ駆動部２１５が構成されることにより、感光材料押さえ部材２１６と従動ローラ２３６ｂとが簡単な構成で正確にタイミングがとられて作動することになる。
【００３７】
図４は、上記感光材料押さえ部材２１６の構成を示す図である。すなわち、図４（ａ）は感光材料押さえ部材２１６の側面図であり、図４（ｂ）は感光材料押さえ部材２１６の背面図である。なお、図４（ｂ）に示す左右の方向は前側（＋Ｘ方向）から見た方向を指している。これらの図において、感光材料押さえ部材２１６は、感光材料を画像表示部２１１の発光面２１４側に押圧して発光面２１４に密着させるパッド部材２１６ａと、このパッド部材２１６ａを取り付ける取付板２１６ｂとから構成されている。この感光材料押さえ部材２１６は、図３に示す軸体２１５ｇに取り付けられているカム板２１５ｄと、カム板２１５ｄと一体に回動するように軸体２１５ｇに取り付けられている回動板２１５ｍとの間に配設されている。
【００３８】
パッド部材２１６ａは、その後側（−Ｘ方向）に突出する取付軸２１６ｃが取付板２１６ｂの貫通孔２１６ｄに抜け止め状態にして挿通されており、その取付軸２１６ｃにはパッド部材２１６ａを取付板２１６ｂから離反する方向に付勢するコイルばね等からなる付勢部材２１６ｅが配設されている。これにより、パッド部材２１６ａが感光材料を画像表示部２１１の発光面２１４側に押圧したとき、その感光材料が弾性的に押圧されて発光面２１４に確実に密着される一方、発光面２１４に必要以上の大きな力が加わることがないようになっている。
【００３９】
取付板２１６ｂは、その左右両側（Ｙ方向）に側板２１６ｆ，２１６ｇを有しており、各側板２１６ｆ，２１６ｇの下方に位置する一端側が、カム板２１５ｄ及び回動板２１５ｍが取り付けられている軸体２１５ｇに回動自在に取り付けられている。また、取付板２１６ｂの上方に位置する他端側には断面Ｌ字状に屈曲形成された載置部２１６ｈが形成されており、この載置部２１６ｈ上の左右両側（Ｙ方向）に一対の係合部材２１７，２１８が配設されている。
【００４０】
この一対の係合部材２１７，２１８は、感光材料押さえ部材２１６と、カム板２１５ｄ及び回動板２１５ｍとを互いに係合するもので、カム板２１５ｄ及び回動板２１５ｍの軸体２１５ｇ回りの回動に対応させて感光材料押さえ部材２１６を発光面２１４に当接する第１の位置（回転板２１５ｂのカムフォロア２１５ａが図３（ｂ）のＰ１に示す位置に移動したときの位置）と発光面２１４から離反した第２の位置（回転板２１５ｂのカムフォロア２１５ａが図３（ｂ）のＰ３に示す位置に移動したときの位置）との間で回動させるものである。なお、カム板２１５ｄと回動板２１５ｍとは、それぞれ感光材料押さえ部材２１６を軸体２１５ｇ回りに回動させる移動部材を構成する。
【００４１】
上記一方の係合部材２１７は、載置部２１６ｈ上の右端側（＋Ｙ方向）に固定された第１の軸受部材２１７ａと、載置部２１６ｈ上の第１の軸受部材２１７ａよりも左側（−Ｙ方向）に固定された第２の軸受部材２１７ｂと、この一対の軸受部材２１７ａ，２１７ｂに軸方向に沿ってスライド可能に支持されたロッド状のスライド部材２１７ｃと、このスライド部材２１７ｃの中間位置に取り付けられたリング状のストッパ２１７ｄと第２の軸受部材２１７ｂとの間に配設され、スライド部材２１７ｃを右方向（＋Ｙ方向）に付勢してスライド部材２１７ｃの右端側（＋Ｙ方向）の先端を取付板２１６ｂの外方（すなわち、カム板２１５ｄとの係合位置）に突出させるコイルばね等からなる付勢部材２１７ｅと、スライド部材２１７ｃの左端側（−Ｙ方向）の先端に取り付けられ、付勢部材２１７ｅの付勢力とは逆方向の力を加えてスライド部材２１７ｃを左側（−Ｙ方向）（すなわち、カム板２１５ｄとの非係合位置）に移動させるためのノブ２１７ｆとから構成されている。このノブ２１７ｆは、この実施形態では後側（−Ｘ方向）に突出するように形成されている。
【００４２】
また、上記他方の係合部材２１８は、載置部２１６ｈ上の左端側（−Ｙ方向）に固定された第１の軸受部材２１８ａと、載置部２１６ｈ上の第１の軸受部材２１８ａよりも右側（＋Ｙ方向）に固定された第２の軸受部材２１８ｂと、この一対の軸受部材２１８ａ，２１８ｂに軸方向に沿ってスライド可能に支持されたロッド状のスライド部材２１８ｃと、このスライド部材２１８ｃの中間位置に取り付けられたリング状のストッパ２１８ｄと第２の軸受部材２１８ｂとの間に配設され、スライド部材２１８ｃを左方向（−Ｙ方向）に付勢してスライド部材２１７ｃの左端側（−Ｙ方向）の先端を取付板２１６ｂの外方（すなわち、回動板２１５ｍとの係合位置）に突出させるコイルばね等からなる付勢部材２１８ｅと、スライド部材２１８ｃの右端側（＋Ｙ方向）の先端に取り付けられ、付勢部材２１８ｅの付勢力とは逆方向の力を加えてスライド部材２１８ｃを右側（＋Ｙ方向）（すなわち、回動板２１５ｍとの非係合位置）に移動させるためのノブ２１８ｆとから構成されている。このノブ２１８ｆは、この実施形態では後側（−Ｘ方向）に突出するように形成されている。
【００４３】
一方、カム板２１５ｄのスライド部材２１７ｃと対向する位置には、スライド部材２１７ｃの先端側を受け入れる窪み２１５ｎの形成された係止部２１５ｐが形成されると共に、回動板２１５ｍのスライド部材２１８ｃと対向する位置には、スライド部材２１８ｃの先端側を受け入れる窪み２１５ｑの形成された係止部２１５ｒが形成されている。この結果、一方の係合部材２１７のスライド部材２１７ｃの先端側が係止部２１５ｐの窪み２１５ｎに嵌まり込んで係止される一方、他方の係合部材２１８のスライド部材２１８ｃの先端側が係止部２１５ｒの窪み２１５ｑに嵌まり込んで係止され、カム板２１５ｄと回動板２１５ｍの回動に伴って感光材料押さえ部材２１６が回動することになる。
【００４４】
そして、一方の係合部材２１７のノブ２１７ｆと他方の係合部材２１８のノブ２１８ｆとに対し、例えば、親指と中指とで挟んで互いに内側方向（矢印で示す方向）への力を加えると、各スライド部材２１７ｃ，２１８ｃの先端側が係止部２１５ｐ，２１５ｒの窪み２１５ｎ，２１５ｑから離脱し、感光材料押さえ部材２１６は、図５に示すように軸体２１５ｇ回りに回動して画像表示部２１１の発光面２１４から大きく離反し得ることになる。
【００４５】
図６は、感光材料押さえ部材２１６を軸体２１５ｇ回りに回動させる移動部材の別の構成例を説明するための図で、図６（ａ）は移動部材を感光材料押さえ部材２１６及び係合部材２１７，２１８と共に示す背面図、図６（ｂ）は移動部材を感光材料押さえ部材２１６及び係合部材２１７と共に示す部分斜視図である。なお、図６に示す左右の方向は前側（＋Ｘ方向）から見た方向を指している。
【００４６】
すなわち、感光材料押さえ部材２１６を軸体２１５ｇ回りに回動させる左右の移動部材が、図４に示すものでは、係止部２１５ｐを備えたカム板２１５ｄ及び係止部２１５ｒを備えた回動板２１５ｍで構成されているのに対し、図６に示すものでは、カム板２１５ｄと右係止板２１９、及び回動板２１５ｍと左係止板２２０で構成されており、これらの左右の係止板２１９，２２０がそれぞれ移動部材の係止部を構成することになる。そのため、カム板２１５ｄには係止部２１５ｐに代えて押さえ板２１５ｓが形成され、回動板２１５ｍには係止部２１５ｒに代えて押さえ板２１５ｔが形成されている。また、感光材料押さえ部材２１６の取付板２１６ｂには、感光材料押さえ部材２１６を背面側（−Ｘ方向）に回動させる方向の付勢力を与えるコイルばね等からなる付勢部材２２１が取り付けられている。
【００４７】
すなわち、右係止板２１９は、感光材料押さえ部材２１６とカム板２１５ｄとの間に固定されて配設される一方、上部にスライド部材２１７ｃの挿通される係止孔２１９ａが形成され、下部に軸体２１５ｇが回転自在に挿通される貫通孔２１９ｂが形成されている。また、左係止板２２０は、感光材料押さえ部材２１６と回動板２１５ｍとの間に固定されて配設される一方、上部にスライド部材２１８ｃの挿通される係止孔２２０ａが形成され、下部に軸体２１５ｇが回転自在に挿通される貫通孔２２０ｂが形成されている。なお、係止孔２１９ａ，２２０ａは、各孔内をスライド部材２１７ｃ，２１８ｃが前後方向（Ｘ方向）に移動することによって感光材料押さえ部材２１６が画像表示部２１１の発光面２１４に当接する第１の位置と発光面２１４から離反した第２の位置との間を移動し得る大きさに形成されている。
【００４８】
また、一方の押さえ板２１５ｓは、カム板２１５ｄの一部が切り起こされてカム板２１５ｄに一体に形成されたもので、スライド部材２１７ｃよりも後側（−Ｘ方向）においてスライド部材２１７ｃの先端側と対向する位置に形成されている。また、他方の押さえ板２１５ｔは、回動板２１５ｍの一部が切り起こされて回動板２１５ｍに一体に形成されたもので、スライド部材２１８ｃよりも後側（−Ｘ方向）においてスライド部材２１８ｃの先端側と対向する位置に形成されている。
【００４９】
上記の構成では、一方の係合部材２１７を構成するスライド部材２１７ｃの先端側が右係止板２１９の係止孔２１９ａに挿通されてその孔内に係止される一方、他方の係合部材２１８を構成するスライド部材２１８ｃの先端側が左係止板２２０の係止孔２２０ａに挿通されてその孔内に係止されることにより、感光材料押さえ部材２１６が、カム板２１５ｄと右係止板２１９からなる移動部材、及び回動板２１５ｍと左係止板２２０からなる移動部材に係合されることになる。
【００５０】
そして、カム板２１５ｄと回動板２１５ｍとが図６（ｂ）に示す矢印方向に回動すると、各スライド部材２１７ｃ，２１８ｃの先端側が左右の押さえ板２１５ｓ，２１５ｔにより前側（＋Ｘ方向）に押圧される結果、感光材料押さえ部材２１６が付勢部材２２１による付勢力に抗して発光面２１４に当接する第１の位置に移動する。また、カム板２１５ｄと回動板２１５ｍとが図６（ｂ）に示す矢印方向とは逆の方向に回動すると、左右の押さえ板２１５ｓ，２１５ｔによる各スライド部材２１７ｃ，２１８ｃの先端側の押圧が解除される結果、感光材料押さえ部材２１６が付勢部材２２１による付勢力により発光面２１４から離反した第２の位置に移動する。
【００５１】
なお、この第２の位置は、図６に示す実施形態では、左右の係止板２１９，２２０の係止孔２１９ａ，２２０ａの後端縁ＫＥにより規定されるようになっている。すなわち、カム板２１５ｄと回動板２１５ｍの回動範囲よりも内側に後端縁ＫＥが位置するように係止孔２１９ａ，２２０ａの大きさが設定されており、これにより感光材料押さえ部材２１６が必要以上に発光面２１４から離反しないようになっている。この結果、感光材料押さえ部材２１６が発光面２１４から離反しすぎた場合に生じ易くなるジャムを効果的に抑制することができる。
【００５２】
また、上記の構成においても、図４に示す実施形態の場合と同様に、一方の係合部材２１７のノブ２１７ｆと他方の係合部材２１８のノブ２１８ｆとに矢印で示す互いに内側方向への力を加えると、各スライド部材２１７ｃ，２１８ｃの先端側が各係止孔２１９ａ，２２０ａから離脱する結果、感光材料押さえ部材２１６は軸体２１５ｇ回りに回動して画像表示部２１１の発光面２１４から大きく離反することになる。
【００５３】
本発明の感光材料押さえ部材の取付構造は上記のように構成されているので、感光材料押さえ部材２１６をカム板２１５ｄからなる移動部材と、回動板２１５ｍからなる移動部材、又は、カム板２１５ｄ及び右係止板２１９からなる移動部材と、回動板２１５ｍ及び左係止板２２０からなる移動部材から容易に取り外すことができるようになり、画像表示部２１１の発光面２１４と感光材料押さえ部材２１６との間に大きなスペースが確保できてメンテナンス作業やジャム処理作業がやり易くなる。
【００５４】
なお、図４及び図６に示す実施形態では、一対の係合部材２１７，２１８は、各スライド部材２１７ｃ，２１８ｃが移動可能に感光材料押さえ部材２１６に取り付けられているが、例えば、一方の係合部材２１７のスライド部材２１７ｃが移動不能に構成されていてもよい。この場合は、他方の係合部材２１８のスライド部材２１８ｃを係止部２１５ｒや係止板２２０から離脱させた後に、感光材料押さえ部材２１６を左側（−Ｙ方向）に移動させて移動不能のスライド部材２１７ｃを係止部２１５ｐや係止板２１９から離脱させるようにすればよい。
【００５５】
また、図４及び図６に示す実施形態では、係合部材２１７，２１８を感光材料押さえ部材２１６に取り付けているが、図４に示す構成の場合には、係合部材２１７，２１８をカム板２１５ｄと回動板２１５ｍとにスライド部材２１７ｃ，２１８ｃの左右方向を反転させた状態で取り付け、スライド部材２１７ｃ，２１８ｃの先端側を係止する係止部２１５ｐ，２１５ｒを感光材料押さえ部材２１６に取り付けるようにしてもよい。
【００５６】
また、図６に示す実施形態では、取付板２１６ｂに付勢部材２２１を取り付けることにより感光材料押さえ部材２１６に対して背面側に回動させる付勢力を与えるようにしているが、例えば、次のような構成にすると付勢部材２２１をなくしても感光材料押さえ部材２１６を背面側に回動させることが可能となる。すなわち、感光材料押さえ部材２１６の重心が常に軸体２１５ｇの後側（−Ｘ方向）に位置するようにしたり、カム板２１５ｄの押さえ板２１５ｓと対向する位置、及び回動板２１５ｍの押さえ板２１５ｔと対向する位置にそれぞれ押さえ板２１５ｓ，２１５ｔと略同形状の戻し板を設けておき、カム板２１５ｄ及び回動板２１５ｍが後側に回動するときに各スライド部材２１７ｃ，２１８ｃの先端側が戻し板で後側に押圧されるようにする。
【００５７】
また、上記実施形態では、係合部材２１７，２１８は、感光材料押さえ部材２１６と、この感光材料押さえ部材２１６を回動させる移動部材とを係合するようにしているが、他の部材どうしを係合するようにすることも可能である。
【００５８】
また、上記実施形態では、第２の焼付処理部２０を構成している画像転写部２１の画像表示部２１１がＦＯＣＲＴで構成されているが、このＦＯＣＲＴの代わりにＰＬＺＴ素子を用いて画像表示部２１１を構成することもできる。このＰＬＺＴ素子を用いる場合には、駆動回路部２１２や画像データ出力部２１３はＰＬＺＴに対応した周知の構成のものを採用すればよい。なお、ＰＬＺＴ素子とは、チタン酸ジルコン酸鉛にランタンを添加することにより得られる透明強誘電性セラミックス材料から構成され、その材料の有する電気光学効果を利用したシャッタアレイをいう。
【００５９】
【発明の効果】
以上のように請求項１の発明によれば、感光材料押さえ部材を発光面側の第１の位置と発光面から離反した第２の位置との間で移動させる移動部材と、感光材料押さえ部材と移動部材とを着脱自在に取り付ける係合部材とを備え、前記係合部材は、感光材料押さえ部材に係合位置と非係合位置との間を軸方向に沿って移動可能に支持され、先端側が移動部材の係止部に係止されるスライド部材と、このスライド部材をその先端側が係止部に係止される方向に付勢して先端側と係止部との係止状態を維持する付勢部材と、スライド部材に付勢部材の付勢力とは逆方向の力を加えるためのノブとを備えているので、感光材料押さえ部材を移動部材から容易に取り外すことができる。
【００６０】
また、請求項２の発明によれば、移動部材が感光材料押さえ部材の両側に配設され、係合部材が感光材料押さえ部材の両側にスライド部材の先端側を移動部材側に向けて配設されているので、感光材料押さえ部材と移動部材とが確実に係合される一方、感光材料押さえ部材を移動部材から容易に取り外すことができる。
【００６１】
また、請求項３の発明によれば、感光材料押さえ部材が一端側の支点を中心にして発光面に対する接離方向に回動可能に取付けられ、係合部材が感光材料押さえ部材の他端側に配設されているので、感光材料押さえ部材を発光面から大きく離反させることができる。
【００６２】
また、請求項４の発明によれば、感光材料押さえ部材が、感光材料に当接するパッド部材と、このパッド部材を取り付ける取付板と、パッド部材を取付板から離反させる方向に付勢する付勢部材とを備えているので、感光材料を発光面に確実に密着させることができる一方、発光面に必要以上の力が加わらないようにすることができる。
【図面の簡単な説明】
【図１】  本発明の実施形態に係る感光材料押さえ部材の取付構造が適用された写真焼付装置の側面図である。
【図２】  図１に示す写真焼付装置の第２の焼付処理部の概略構成を示す図である。
【図３】  図２に示す第２の焼付処理部におけるパッド／ローラ駆動部の構成を示す図である。
【図４】  感光材料押さえ部材の取付構造を示す図で、（ａ）その側面図、（ｂ）はその背面図である。
【図５】  感光材料押さえ部材が移動部材から離脱して画像表示部の表示面から大きく離反した状態を示す図である。
【図６】  感光材料押さえ部材を軸体回りに回動させる移動部材の別の構成例を示す図で、（ａ）その背面図、（ｂ）はその斜視図である。
【符号の説明】
１０  第１の焼付処理部
２０  第２の焼付処理部
２１  画像転写部
２２  マガジン載置部
２３  第１の搬送部
２４  第２の搬送部
３０  現像処理部
４０  感光材料排出部
２１１  画像表示部
２１４  発光面
２１６  感光材料押さえ部材（第１の部材）
２３５  ループ形成部
２３８  ストック部
２３９  カッタ部
２１５ｄ  カム板（第２の部材）
２１５ｍ  回動板（第２の部材）
２１５ｐ，２１５ｒ  係止部
２１６ａ  パッド部材
２１６ｂ  取付板
２１６ｅ  付勢部材
２１７ｃ，２１８ｃ  スライド部材
２１７ｅ，２１８ｅ  付勢部材
２１７ｆ，２１８ｆ  ノブ
２１９  右係止板（第２の部材）
２２０  左係止板（第２の部材）
２１９ａ，２２０ａ  係止孔
【図１】
0003646477.tif 000002
【図２】
0003646477.tif 000003
【図３】
0003646477.tif 000004
【図４】
0003646477.tif 000005
【図５】
0003646477.tif 000006
【図６】
0003646477.tif 000007